(57)【要約】【課題】装置本体からの余剰水を洗い場側床パンを流すことなく、浴槽側床パンの排水口に導くミストサウナ機能付浴室暖房換気乾燥機の排水構造を提供する。【解決手段】浴槽側床パンと洗い場側床パンの境界部分と、浴槽の洗い場側のフランジ部との間にエプロンを設置し、浴室の天井裏に装置本体を設置し、浴室の壁の浴槽が近接して設置される部分に貫通口を形成し、装置本体から浴室外を通って貫通口に至る排水管と、貫通口から浴槽側床パンの床面のエプロンの一方の側端近傍の部分に至る排水管を設け、浴槽側床パンのエプロンに沿った部分でエプロンの一方の側端近傍と他方の側端近傍との間に排水口を形成し、エプロンの一方の側端近傍から排水口に至る排水樋を設け、排水樋のエプロンの一方の側端近傍に排水管の下端部を排水樋の底面から所定高さ高い位置で保持して固定する排水管固定部を設け、排水管固定部にて排水管の下端部を固定する。【選択図】図１
2009108508.tif 000002
【特許請求の範囲】
【請求項１】
浴室の床面に浴槽側床パンと洗い場側床パンとからなる床パンを設置し、浴槽側床パンに浴槽を設置すると共に、浴槽側床パンと洗い場側床パンの境界部分と、浴槽の洗い場側のフランジ部との間に浴室の対向する壁間の全長に亘ってエプロンを着脱自在に設置し、浴室の天井裏に装置本体を設置し、浴室の壁の浴槽が近接して設置される部分であって浴槽のフランジ部よりも下方に貫通口を形成し、装置本体から浴室外を通って前記貫通口に至る排水路と、貫通口から浴室内のエプロンよりも浴槽側の空間を通って浴槽側床パンの床面のエプロンの一方の側端近傍の部分に至る排水管とを設け、浴槽側床パンのエプロンに沿った部分であって前記エプロンの一方の側端近傍と他方の側端近傍との間の部分に該浴槽側床パンの排水口を形成し、浴槽側床パンのエプロンに沿った部分であって前記エプロンの一方の側端近傍の前記排水管の下方の部分から前記排水口に至る排水樋を設け、該排水樋の前記エプロンの一方の側端近傍の前記排水管の下方の部分に、前記排水管の下端部を排水樋の底面から所定高さ高い位置で保持して固定する排水管固定部を設け、該排水管固定部にて前記排水管の下端部を固定して成ることを特徴とするミストサウナ機能付浴室暖房換気乾燥機の排水構造。
【発明の詳細な説明】
【技術分野】
【０００１】
本発明は、ミストサウナ機能付きの浴室暖房換気乾燥機の排水構造に関するものである。
【背景技術】
【０００２】
従来より、浴室内でミストサウナを行うためのミストサウナ装置が知られている。ミストサウナ装置は、浴室内にミストを吐出して低温又は高温で高湿度の環境を作り出し、身体に掛かる負担を少なくして使用者の発汗を促すものである。
【０００３】
ミストサウナ装置は、装置本体を浴室内に設置するものと浴室外に設置するものがあるが、浴室内に設置スペースを取らないという点で浴室外に設置するものの方が優れている。また近年、浴室の天井裏に設置する浴室暖房換気乾燥機が普及してきているが、この浴室暖房換気乾燥機にミストサウナ機能を付与したものが開発されており（特許文献１参照）、このものは機能の多さと浴室内に設置スペースを取らないという点で優れている。以下、ミストサウナ機能付浴室暖房換気乾燥機を用いる場合について説明する。
【特許文献１】特開２００３−６５５５４号公報
【発明の開示】
【発明が解決しようとする課題】
【０００４】
ミストサウナ機能付浴室暖房換気乾燥機は、運転時に余剰水が発生するため、余剰水を排水する必要がある。余剰水は、屋外排水とすると配管が煩雑となるため、屋内排水として浴室からの排水と共に排水するのが適当である。この場合には、浴槽からの排水か又は洗い場からの排水と共に排水するかのいずれかが考えられるが、洗い場からの排水と共に排水しようとすると、余剰水が洗い場の床面上を流れることとなり、余剰水が流れるのが見えて外観上好ましくないと共に、温水が足元を流れるという使用性の問題があった。このため、浴槽からの排水と共に余剰水を排水するのが好ましいものである。
【０００５】
浴槽からの排水と共に余剰水を排水する場合、天井裏に設置したミストサウナ機能付浴室暖房換気乾燥機からの余剰水は、まず、ミストサウナ機能付浴室暖房換気乾燥機に接続された排水管に余剰水を排出する。排水管は、浴室の壁に形成した貫通口を介して浴室内に導入されるもので、貫通口から浴室内への排水管と浴室外から貫通口までの排水管は別体か一体のいずれでもよい。
【０００６】
ここで、浴室として、床面に浴槽側床パンと洗い場側床パンとからなる床パンを設置し、浴槽側床パンに浴槽を設置すると共に、浴槽側床パンと洗い場側床パンの境界部分と、浴槽の洗い場側のフランジ部との間に、浴室の対向する壁間の全長に亘ってエプロンを着脱自在に設置する浴室を対象とするものとする。この場合、前記貫通口を、浴室の壁の浴槽側の部分であって浴槽の上端部（フランジ部）よりも下方に形成し、この貫通口から浴槽側床パンの排水口にかけて排水管を設けることで、貫通口及び排水管は洗い場側から見てエプロンの裏に隠れて見えないため、外観上好ましい。しかしながら、排水管の設置スペースを確保する必要があると共に、排水管が可撓性を有する場合には、排水勾配の設定等が難しく、排水管が可撓性を有しない場合には配管作業が煩雑となるものであった。
【０００７】
本発明は上記従来の問題点に鑑みて発明したものであって、その目的とするところは、浴室の天井裏に設置した装置本体からの余剰水を浴室からの排水と共に排水するにあたり、余剰水が洗い場側床パンを流れることがないと共に、エプロンの浴槽側の空間に煩雑な配管を施すことなく浴槽側床パンの排水口に余剰水を導くことができるミストサウナ機能付浴室暖房換気乾燥機の排水構造を提供することを課題とするものである。
【課題を解決するための手段】
【０００８】
上記課題を解決するために請求項１に係るミストサウナ機能付浴室暖房換気乾燥機の排水構造は、浴室１の床面１０に浴槽側床パン２１と洗い場側床パン２２とからなる床パン２を設置し、浴槽側床パン２１に浴槽３を設置すると共に、浴槽側床パン２１と洗い場側床パン２２の境界部分と、浴槽３の洗い場側のフランジ部３１との間に浴室１の対向する壁１１間の全長に亘ってエプロン４を着脱自在に設置し、浴室１の天井１２裏に装置本体５を設置し、浴室１の壁１１の浴槽３が近接して設置される部分であって浴槽３のフランジ部３１よりも下方に貫通口１３を形成し、装置本体５から浴室１外を通って前記貫通口１３に至る排水路５１と、貫通口１３から浴室１内のエプロン４よりも浴槽３側の空間を通って浴槽側床パン２１の床面１０のエプロン４の一方の側端近傍の部分に至る排水管６とを設け、浴槽側床パン２１のエプロン４に沿った部分であって前記エプロン４の一方の側端近傍と他方の側端近傍との間の部分に該浴槽側床パン２１の排水口２３を形成し、浴槽側床パン２１のエプロン４に沿った部分であって前記エプロン４の一方の側端近傍の前記排水管６の下方の部分から前記排水口２３に至る排水樋７を設け、該排水樋７の前記エプロン４の一方の側端近傍の前記排水管６の下方の部分に、前記排水管６の下端部６１を排水樋７の底面７１から所定高さｈ高い位置で保持して固定する排水管固定部８を設け、該排水管固定部８にて前記排水管６の下端部６１を固定して成ることを特徴とするものである。
【０００９】
このような構成とすることで、浴室１の天井１２裏に設置した装置本体５からの余剰水を浴槽側床パン２１の排水口２３から排水するため、余剰水が洗い場側床パン２２を流れるのを防止することができると共に、エプロン４の浴槽３側の空間に煩雑な配管を施すことなく浴槽側床パン２１の排水口２３に余剰水を導くことができる。
【発明の効果】
【００１０】
本発明にあっては、浴室の天井裏に設置した装置本体からの余剰水を浴室からの排水と共に排水するにあたり、余剰水が洗い場側床パンを流れるのが見えて外観上好ましくないと共に温水が足元を流れるといったことがなく、エプロンの浴槽側の空間を通して浴槽側床パンの排水口から排水するにあたり煩雑な配管が不要となるものである。
【発明を実施するための最良の形態】
【００１１】
以下、本発明について添付図面に基づいて説明する。
【００１２】
浴室１となるスペースの床面１０上に床パン２を設置し、床パン２の周縁部から上方にパネルからなる壁１１を立設し、壁１１の上端部に天井１２を載設して浴室１が形成してある。床パン２は、浴槽側床パン２１と洗い場側床パン２２とを備えており、浴槽側床パン２１に浴槽３を設置すると共に、浴槽３の洗い場側の上端部のフランジ部３１から、浴槽側床パン２１と洗い場側床パン２２との境界部分にかけてエプロン４を着脱自在に設置している。床パン２の浴槽側床パン２１と洗い場側床パン２２とが別体である場合には、エプロン４は、浴槽３の洗い場側のフランジ部３１と、浴槽側床パン２１の洗い場側の端縁との間の上下間であって、浴室１の両側の壁１１間の全長に亘ってエプロン４を設置するものである。また、床パン２の浴槽側床パン２１と洗い場側床パン２２とが一体である場合には、エプロン４は、浴槽側床パン２１と洗い場側床パン２２の境界部分の堰部の上端部と、浴槽３の洗い場側のフランジ部３１との間の上下間であって前記壁１１間の全長に亘ってエプロン４を設置するものである。
【００１３】
浴室１の天井１２裏には、ミストサウナ機能付浴室暖房換気乾燥機の装置本体５を設置するものである。ミストサウナ機能付浴室暖房換気乾燥機については一般に普及しているもので、特に限定はされないが、天井１２裏に装置本体５を設置すると共に、装置本体５と浴室１とをダクトや連通口を介して連通させる。
【００１４】
装置本体５について説明すると、図示はしないが、装置本体５には浴室１外に設置した給湯機能付き熱源機からの温水経路が接続されると共に、水道に接続される給水管と、余剰水を排水する排水部とが設けられる。装置本体５には、浴室１内の空気を吸入すると共に再び吐出する循環路が形成してあり、この循環路内に、前記熱源機から温水経路を介して供給される温水にて循環路内を流れる空気を加熱する熱交換器が設置してある。また循環路は、循環路内を流れる空気を乾燥させる乾燥機能を備えると共に、循環路内に吸入した空気を外部に排気する排気手段を備えている。
【００１５】
また装置本体５には、給水管を介して供給される温水をミストノズルに導くミスト配管が設けてあり、このミスト配管の途中に、前記熱源機から温水経路を介して供給される温水にてミスト配管を流れる水を加熱する熱交換器が設置してある。ミストノズルは、浴室１内に向けて温水をミストとして吐出するものである。
【００１６】
そして、装置本体５から浴室１内に暖気を吐出して暖房を行なったり、あるいは浴室１内の空気を排出して浴室１外に排気することで換気を行ったり、あるいは浴室１内の空気を吸入して除湿を行うと共に再び浴室１内に吐出して乾燥を行ったり、あるいは、浴室１内にミストを吐出してミストサウナを行なったりすることができる。
【００１７】
装置本体５の排水部には、浴室１外、すなわち天井１２裏と壁１１の外側を通って、後述する壁１１の貫通口１３に至る排水路５１が接続される。この排水路５１は、本実施形態では例えば架橋ポリエチレン管からなる。
【００１８】
そして、浴室１の壁１１の浴槽３が近接して設置される部分であって、浴槽３のフランジ部３１よりも下方の部分に貫通口１３を形成する。本実施形態では、浴槽側床パン２１の洗い場側から見て左右の壁１１の一方に貫通口１３を形成してあり、壁１１の貫通口１３の端縁には壁貫通金具１３ａを設けてある。貫通口１３（壁貫通金具１３ａ）から浴室１内のエプロン４よりも浴槽３側の空間を通って、浴槽側床パン２１の床面のエプロン４の一方の側端近傍の部分に至る可撓性を有する排水管６が設けてある。
【００１９】
浴槽側床パン２１の床面のエプロン４に沿った部分には、浴槽側床パン２１の排水口２３が形成される。本実施形態では、浴槽側床パン２１のエプロン４の一方の側端近傍と他方の側端近傍との間の部分（特に中央部）に開口を形成して、図示しない逆止弁を備えた排水トラップを設けて形成される。そして、浴槽側床パン２１のエプロン４に沿った部分であって、前記エプロン４の一方の側端近傍の前記排水管６の下方の部分から前記排水口２３に至る排水樋７を設けるものである。排水樋７は、上方に開口した断面略コ字状又は略円弧状をしたもので、上下高さは１０〜２０ｍｍ（好ましくは１５ｍｍ）程度で、浴槽側床パン２１のエプロン４に沿った部分に着脱自在に設置される。
【００２０】
排水樋７の前記エプロン４の一方の側端近傍の前記排水管６の下方の部分には、前記排水管６の下端部６１を排水樋７の底面７１から所定高さｈ高い位置で保持して固定する排水管固定部８が設けられる。排水管固定部８は、上方に開口した排水樋７の上端部から上方に向けて突出する突出片８１と、突出片８１の上端部から横方向に連設されて排水樋７の上方に位置する管保持片８２とからなる側面視略逆Ｌ字状をしたもので、管保持片８２には排水管６の下端部６１が嵌入される切欠８３が形成してある。排水管６の下端部６１には、前記切欠８３に被嵌される溝６２が外面に形成してあり、溝６２内に切欠８３の端縁部を挿入させて排水管６を管保持片８２に保持させるものである。本実施形態では、排水管６の下端部６１に整流器６１ａを取り付けてあり、この整流器６１ａの外面に前記溝６２が形成してある。
【００２１】
前記のように排水管６の下端部６１を排水管固定部８に固定した状態では、排水管６の下端を排水樋７の底面７１から５０〜１２０ｍｍ程度（好ましくは９０ｍｍ程度）の所定高さｈに保持することが可能となる。
【００２２】
上記のような構成によれば、浴室１の天井１２裏に設置した装置本体５からの余剰水を浴室１からの排水と共に排水するにあたり、余剰水が洗い場側床パン２２を流れるのを防止して、余剰水が洗い場側床パン２２を流れるのが見えて外観上好ましくないと共に温水が足元を流れるといったことがなく、また、エプロン４の浴槽３側の空間を通して浴槽側床パン２１の排水口２３から排水するにあたり煩雑な配管が不要となるものである。
【００２３】
また、着脱自在なエプロン４を外すと共に、エプロン４に沿って着脱自在に設置されている排水樋７を外すことで、排水樋７を容易に清掃することができて、メンテナンスが容易となるものである。
【図面の簡単な説明】
【００２４】
【図１】本発明の一実施形態の浴室の一部切欠した斜視図である。
【図２】（ａ）は同上の排水樋及び排水管の接続を示す側面図であり、（ｂ）は排水樋の平面図であり、（ｃ）は排水管の下端部の側面図である。
【符号の説明】
【００２５】
１    浴室
１０  床面
１１  壁
１２  天井
１３  貫通口
２    床パン
２１  浴槽側床パン
２２  洗い場側床パン
２３  排水口
３    浴槽
３１  フランジ部
４    エプロン
５    装置本体
５１  排水路
６    排水管
６１  下端部
６２  溝
７    排水樋
８    排水管固定部
８３  切欠
【図１】
2009108508.tif 000003
【図２】
2009108508.tif 000004